(57)【要約】【課題】船舶航行時の安全性を向上できる釣用錘保持具を提供する。【解決手段】支点部３により回動可能に連結される一対の挟持片２と、挟持片２の一端部を閉じる方向に付勢する弾性部４とを備えた釣用錘保持具１であって、挟持片２がロッド１００を挟持するロッド挟持部６と、互いに対向する対向面２ａ上に凹設して錘１０３ａを収納する錘収納部１０とを有し、錘収納部１０が支点部３の軸方向の両端を収納壁１０ａにより覆われる。【選択図】図２
2019062835.tif 000002
【特許請求の範囲】
【請求項１】
支点部により回動可能に連結される一対の挟持片と、前記挟持片の一端部を閉じる方向に付勢する弾性部とを備えた釣用錘保持具であって、前記挟持片がロッドを挟持するロッド挟持部と、互いに対向する対向面上に凹設して錘を収納する錘収納部とを有し、前記錘収納部が前記支点部の軸方向の両端を収納壁により覆われることを特徴とする釣用錘保持具。
【請求項２】
前記収納壁上に前記対向面側を開放した凹部を設けたことを特徴とする請求項１に記載の釣用錘保持具。
【請求項３】
前記錘収納部と前記支点部との間に前記ロッド挟持部が設けられることを特徴とする請求項１または請求項２に記載の釣用錘保持具。
【請求項４】
前記錘収納部が前記ロッド挟持部に対して前記軸方向に突出することを特徴とする請求項１〜請求項３のいずれかに記載の釣用錘保持具。
【請求項５】
前記ロッド挟持部の内面に緩衝材を設けたことを特徴とする請求項１〜請求項４のいずれかに記載の釣用錘保持具。
【請求項６】
前記弾性部が解放端を前記挟持片の内面に当接した捩りバネにより形成されることを特徴とする請求項１〜請求項５のいずれかに記載の釣用錘保持具。
【発明の詳細な説明】
【技術分野】
【０００１】
本発明は、魚釣り用のロッドに錘を保持する釣用錘保持具に関する。
【背景技術】
【０００２】
従来の釣用錘保持具は特許文献１に開示されている。この釣用錘保持具は本体部及び弾性バンドを有している。本体部はバンド掛部及びフック掛部を有している。バンド掛部は本体部の両側端に突出して設けられる。フック掛部は本体部から延びる一対の腕部間を連結した棒状に形成される。弾性バンドはＯリングから成る。
【０００３】
上記構成の釣用錘保持具において、ユーザが本体部をロッドに当接し、一のバンド掛部に弾性バンドを係止する。そして、弾性バンドをロッド背面へ引っ張りながら、他のバンド掛部に弾性バンドを係止する。これにより、ロッドを本体部と弾性バンドとの間に挟み、釣用錘保持具がロッドに装着される。
【０００４】
ルアーのフックはフック掛部に係止される。これにより、ルアーが釣用錘保持具に保持される。
【先行技術文献】
【特許文献】
【０００５】
【特許文献１】特開平１０―００４８２８号公報
【発明の概要】
【発明が解決しようとする課題】
【０００６】
鯛等の魚釣り用のルアーは錘を兼ねており、近年３００ｇ〜５００ｇと重量化してきている。上記従来の釣用錘保持具によると、錘を保持したロッドを船縁に固定して船舶を航行した際に、ラインの張力が弱いと振動によりフックが外れる場合がある。この時、重量の大きい錘が船舶の揺れにより旋回し、人に衝突する危険があった。
【０００７】
本発明は、船舶航行時の安全性を向上できる釣用錘保持具を提供することを目的とする。
【課題を解決するための手段】
【０００８】
上記目的を達成するために本発明は、支点部により回動可能に連結される一対の挟持片と、前記挟持片の一端部を閉じる方向に付勢する弾性部とを備えた釣用錘保持具であって、前記挟持片がロッドを挟持するロッド挟持部と、互いに対向する対向面上に凹設して錘を収納する錘収納部とを有し、前記錘収納部が前記支点部の軸方向の両端を収納壁により覆われることを特徴とする。
【０００９】
また、本発明は上記構成の釣用錘保持具において、前記収納壁上に前記対向面側を開放した凹部を設けたことを特徴とする。
【００１０】
また、本発明は上記構成の釣用錘保持具において、前記錘収納部と前記支点部との間に前記ロッド挟持部が設けられることを特徴とする。
【００１１】
また、本発明は上記構成の釣用錘保持具において、前記錘収納部が前記ロッド挟持部に対して前記軸方向に突出することを特徴とする。
【００１２】
また、本発明は上記構成の釣用錘保持具において、前記ロッド挟持部の内面に緩衝材を設けたことを特徴とする。
【００１３】
また、本発明は上記構成の釣用錘保持具において、前記弾性部が解放端を前記挟持片の内面に当接した捩りバネにより形成されることを特徴とする。
【発明の効果】
【００１４】
本発明によると、弾性部により付勢される挟持片がロッドを挟持するロッド挟持部と、互いに対向する対向面上に凹設して錘を収納する錘収納部とを有する。そして、錘収納部が支点部の軸方向の両端を収納壁により覆われる。これにより、弾性部の付勢によりロッド挟持部がロッドを挟持し、閉じられた錘収納部に錘が収納される。従って、錘がロッドから外れず、船舶航行時の安全性を向上することができる。
【図面の簡単な説明】
【００１５】
【図１】本発明の第１実施形態の釣用錘保持具を示す側面図
【図２】本発明の第１実施形態の釣用錘保持具を示す上面図
【図３】本発明の第１実施形態の釣用錘保持具を示す背面図
【図４】図２のＡ−Ａ断面図
【図５】図１のＢ−Ｂ断面図
【図６】本発明の第１実施形態の釣用錘保持具の開いた状態を示す上面図
【図７】本発明の第１実施形態の釣用錘保持具の使用状態を示す概略図
【図８】本発明の第１実施形態の釣用錘保持具の使用状態を示す側面断面図
【図９】本発明の第２実施形態の釣用錘保持具を示す側面図
【図１０】本発明の第３実施形態の釣用錘保持具を示す側面図
【発明を実施するための形態】
【００１６】
以下に図面を参照して本発明の実施形態を説明する。図１〜図３は本発明の第１実施形態の釣用錘保持具１の側面図、上面図、背面図を示している。また、図４、図５は図２のＡ−Ａ断面図、図１のＢ−Ｂ断面図を示している。
【００１７】
釣用錘保持具１は樹脂成型品により同じ形状に形成される一対の挟持片２を備えている。一対の挟持片２は上下方向に互いに重なる支持片２ｂを有し、支持片２ｂには貫通孔２ｃが設けられる。貫通孔２ｃに挿通されるリベット３により挟持片２がリベット３（支点部）を支点として回動可能に連結される。
【００１８】
挟持片２にはリベット３に対して一方に摘持部５が設けられ、他方にロッド挟持部６及び錘収納部１０が設けられる。摘持部５は支持片２ｂから互いに離れる方向に延びて形成される。リベット３には捩りバネから成る弾性部４が挿通され、弾性部４の解放端は摘持部５の内面５ｂに当接する。これにより、摘持部５は弾性部４によって互いに離れる方向に付勢される。
【００１９】
摘持部５には上下方向に延びる複数のリブ５ａ（本実施形態では５本）が設けられる。これにより、摘持した際の滑りを抑制し、容易に摘持部５を摘持することができる。
【００２０】
ロッド挟持部６は錘収納部１０とリベット３との間に配され、挟持片２の互いに対向する対向面２ａ上に凹設した円筒面により形成される。この時、ロッド挟持部６はリベット３の軸方向の両端の上下面を開放される。また、ロッド挟持部６の内面にはゴム等の緩衝材７が設けられる。
【００２１】
錘収納部１０は対向面２ａ上に凹設され、リベット３の軸方向の両端の上下面を収納壁１０ａにより覆われる。挟持片２を閉じた際に錘収納部１０は上面視において略５角形状に形成される。また、収納壁１０ａ上には対向面２ａ側を開放した凹部１０ｂが設けられる。挟持片２を閉じた際に対向する凹部１０ｂにより紡錘形状の挿通部１０ｃが形成される。この時、一対の挟持片２の両対向面２ａが当接する。
【００２２】
上記構成の釣用錘保持具１は図３に示すように弾性部４の付勢により挟持片２の一端部に配したロッド挟持部６及び錘収納部１０が閉じられる。摘持部５を使用者が弾性部の付勢力に抗して手指により摘持すると、図６に示すように摘持部５が互いに接近してロッド挟持部６及び錘収納部１０が開かれる。
【００２３】
図７は釣用錘保持具１の使用状態を示す概略図である。釣用錘保持具１はロッド１００のグリップ１００ａに装着され、リール１０１から延びるライン１０２に接続されたルアー１０３の錘１０３ａ（図８参照）を保持する。ロッド１００は船舶の船縁に設けられるロッド収納部（不図示）に下端を挿通され、釣り場まで搬送される。
【００２４】
図８はこの時の釣用錘保持具１の側面断面図を示している。ロッド１００のグリップ１００ａは弾性部４の付勢により閉じられたロッド挟持部６に挟持される。これにより、釣用錘保持具１がロッド１００に装着される。この時、ロッド１００が緩衝材７により保持されるため、異なる太さのロッド１００を挟持できるとともに、ロッド１００の損傷を防止することができる。
【００２５】
ルアー１０３はライン１０２に接続される錘１０３ａの下端にハリス１０３ｃ介してフック１０３ｂが取り付けられるとともにスカート１０３ｄが取り付けられる。錘１０３ａは弾性部４の付勢により閉じられた錘収納部１０内に収納される。また、ライン１０２は錘収納部１０の上面に形成される挿通部１０ｃに挿通される。ハリス１０３ｃ及びスカート１０３ｄは錘収納部１０の下面に形成される挿通部１０ｃに挿通される。
【００２６】
これにより、錘１０３ａは錘収納部１０の周壁によって水平方向を覆われるとともに収納壁１０ａにより上下方向を覆われて保持される。錘収納部１０は閉じる方向に弾性部４により付勢されるため、船舶の航行時に錘１０３ａがロッド１００から外れることを防止できる。
【００２７】
この時、錘１０３ａは錘収納部１０内に遊びを有して収納され、錘１０３ａの大きさが変動してもロッド挟持部６によってロッド１００を確実に挟持することができる。
【００２８】
尚、フック１０３ｂ及びスカート１０３ｄを錘収納部１０内に収納してもよい。これにより、フック１０３ｂによる怪我を防止できる。
【００２９】
魚釣りを開始する場合には、船舶に設けられるロッド収納部からロッド１００を取り出す。そして、摘持部５を摘持してロッド１００から釣用錘保持具１が取り外される。錘収納部１０から錘１０３ａを取り外し、釣用錘保持具１をロッド１００に装着した状態でもよい。
【００３０】
本実施形態によると、弾性部４により付勢される挟持片２がロッド１００を挟持するロッド挟持部６と、互いに対向する対向面２ａ上に凹設して錘１０３ａを収納する錘収納部１０とを有する。そして、錘収納部１０がリベット３（支点部）の軸方向の両端を収納壁１０ａにより覆われる。これにより、弾性部４の付勢によりロッド挟持部６がロッド１００を挟持し、閉じられた錘収納部１０に錘１０３ａが収納される。従って、錘１０３ａがロッド１００から外れず、船舶航行時の安全性を向上することができる。
【００３１】
また、収納壁１０ａ上に対向面２ａ側を開放した凹部１０ｂを設けたので、ライン１０２やハリス１０３ｃが凹部１０ｂにより形成される挿通部１０ｃに挿通される。凹部１０ｂを省いてライン１０２やハリス１０３ｃを収納壁１０ａの対向面２ａ上で挟持してもよいが、凹部１０ｂを設けるとライン１０２やハリス１０３ｃが挟持片２に挟持されない。これにより、船舶航行時の振動により挟持片２と摺動することによるライン１０２やハリス１０３ｃの損傷を防止することができる。尚、凹部１０ｂを一対の挟持片２の一方のみに設けてもよい。また、上下の凹部１０ｂを異なる大きさに形成してもよい。
【００３２】
また、錘収納部１０とリベット３との間にロッド挟持部６が設けられる。これにより、釣用錘保持具１をロッド１００に装着した状態で錘収納部１０から錘１０３ａを容易に取り外すことができる。尚、ロッド挟持部６とリベット３との間に錘収納部１０を設けてもよい。
【００３３】
また、ロッド挟持部６の内面に緩衝材７を設けたので、異なる太さのロッド１００を挟持できるとともに、ロッド１００の損傷を防止することができる。
【００３４】
また、弾性部４が解放端を挟持片２の摘持部５の内面５ｂに当接した捩りバネにより形成される。これにより、捩りバネの開放端がライン１０２やフック１０３ｂに引っ掛かることを防止し、釣用錘保持具１の利便性を向上することができる。
【００３５】
本実施形態において、錘収納部１０の内面に磁石を設けてもよい。これにより、フック１０３ｂを磁石に吸着して錘収納部１０内に収納することができる。
【００３６】
＜第２実施形態＞
次に、第２実施形態について説明する。本実施形態は錘収納部１０の形状が第１実施形態と異なる。その他の部分は第１実施形態と同様である。図９は釣用錘保持具１の側面図を示す。説明の便宜上、前述の図１〜図８に示す第１実施形態と同様の部分には同一の符号を付している。
【００３７】
錘収納部１０はロッド挟持部６に対してリベット３の軸方向に突出する。これにより、軸方向により大きな錘１０３ａを収納することができる。尚、錘収納部１０が図９では上下に突出しているが、上方のみまたは下方のみに突出してもよい。
【００３８】
本実施形態によると、第１実施形態と同様の効果を奏することができる。また、錘収納部１０がロッド挟持部６に対してリベット３（支点部）の軸方向に突出する。これにより、より大きな錘１０３ａを収納することができる。
【００３９】
＜第３実施形態＞
次に、第３実施形態について説明する。本実施形態は錘収納部１０の形状が第１実施形態と異なる。その他の部分は第１実施形態と同様である。図１０は釣用錘保持具１の側面図を示す。説明の便宜上、前述の図１〜図８に示す第１実施形態と同様の部分には同一の符号を付している。
【００４０】
錘収納部１０はロッド挟持部６に対してリベット３の軸方向に突出する。これにより、軸方向により大きな小魚形状等の錘１０３ａを収納することができる。
【００４１】
本実施形態によると、第１実施形態と同様の効果を奏することができる。また、錘収納部１０がロッド挟持部６に対してリベット３（支点部）の軸方向に突出する。これにより、より大きな錘１０３ａを収納することができる。
【産業上の利用可能性】
【００４２】
本発明によると、魚釣り用のロッドにルアー等の錘を保持する釣用錘保持具に利用することができる。
【符号の説明】
【００４３】
１      釣用錘保持具
２      挟持片
２ａ    対向面
２ｂ    支持片
２ｃ    貫通孔
３      リベット
４      弾性部
５      摘持部
５ａ    リブ
５ｂ    内面
６      ロッド挟持部
７      緩衝材
１０      錘収納部
１０ａ    収納壁
１０ｂ    凹部
１０ｃ    挿通部
１００      ロッド
１００ａ    グリップ
１０１      リール
１０２      ライン
１０３      ルアー
１０３ａ    錘
１０３ｂ    フック
１０３ｃ    ハリス
１０３ｄ    スカート
【図１】
2019062835.tif 000003
【図２】
2019062835.tif 000004
【図３】
2019062835.tif 000005
【図４】
2019062835.tif 000006
【図５】
2019062835.tif 000007
【図６】
2019062835.tif 000008
【図７】
2019062835.tif 000009
【図８】
2019062835.tif 000010
【図９】
2019062835.tif 000011
【図１０】
2019062835.tif 000012
【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
支点部により回動可能に連結される一対の挟持片と、前記挟持片の一端部を閉じる方向に付勢する弾性部とを備えた釣用錘保持具であって、前記挟持片がロッドを挟持するロッド挟持部と、互いに対向する対向面上に凹設して錘を収納する錘収納部とを有し、前記錘収納部が前記支点部の軸方向と平行な方向の両端を収納壁により覆われることを特徴とする釣用錘保持具。
【請求項２】
前記収納壁上に前記対向面側を開放した凹部を設けたことを特徴とする請求項１に記載の釣用錘保持具。
【請求項３】
前記錘収納部と前記支点部との間に前記ロッド挟持部が設けられることを特徴とする請求項１または請求項２に記載の釣用錘保持具。
【請求項４】
前記錘収納部が前記ロッド挟持部に対して前記軸方向と平行な方向に突出することを特徴とする請求項１〜請求項３のいずれかに記載の釣用錘保持具。
【請求項５】
前記ロッド挟持部の内面に緩衝材を設けたことを特徴とする請求項１〜請求項４のいずれかに記載の釣用錘保持具。
【請求項６】
前記弾性部が解放端を前記挟持片の内面に当接した捩りバネにより形成されることを特徴とする請求項１〜請求項５のいずれかに記載の釣用錘保持具。
【手続補正２】
【補正対象書類名】図面
【補正対象項目名】図４
【補正方法】変更
【補正の内容】
【図４】
2019062835.tif 000013
【手続補正３】
【補正対象書類名】図面
【補正対象項目名】図８
【補正方法】変更
【補正の内容】
【図８】
2019062835.tif 000014